(57)【要約】【課題】振動モーターの弾性部材の耐久性が低く、製品の安定性が悪いという課題を解決するために、新型の振動モーターを提供する。【解決手段】ハウジング１００に底壁１２及び側壁１１が設けられ、側壁１１は振動子の振動方向に平行する第１の側壁１１１を含む。振動子とステータの一方はコイル２０を備え、他方は磁性鋼４０を備え、コイル２０と磁性鋼４０は正対し間隔を隔てて設けられる。弾性部材６０は、第１の固定部６１、第２の固定部６２及び接続部６３を含む。カウンターウェイト３０は、第１の側面３０１と第２の側面３０２とを含み、第１の側面３０１から凹んだ切欠部３２が形成され、切欠部３２の中央から突起する溶接部３３をさらに備える。第１の固定部６１は溶接部３３に貼り合わせられている。【選択図】図１
2017118805.tif 000002
【特許請求の範囲】
【請求項１】
収容空間が設けられたハウジングと、当該収容空間内に収容され、カウンターウェイトを備える振動子と、ステータと、前記振動子を支持する弾性部材とを備える振動モーターであって、前記ハウジングに前記ステータを固定するための底壁及び前記底壁に垂直する側壁が設けられ、前記側壁は前記振動子の振動方向に平行する第１の側壁を含み、前記振動子は、前記底壁に平行する方向において振動し、前記振動子とステータのうちの一方は、コイルを備え、他方は、磁性鋼を備え、前記コイルと磁性鋼は正対し、間隔を隔てて設けられ、前記弾性部材は、カウンターウェイトに接続された第１の固定部と、ハウジングに接続された第２の固定部と、第１の固定部と第２の固定部を接続する接続部とを含み、前記カウンターウェイトは、振動子の振動方向に平行する第１の側面と、振動子の振動方向に垂直する第２の側面とを含み、前記カウンターウェイトは、第１の側面から第１の側壁から離れる方向へ凹んで、切欠部が形成され、前記カウンターウェイトは、切欠部の中央から突起するとともに、切欠部のエッジまで延在する溶接部をさらに備え、前記第１の固定部は前記溶接部に貼り合わせられていることを特徴とする振動モーター。
【請求項２】
前記第１の固定部は前記溶接部と、形状が同じであることを特徴とする請求項１に記載の振動モーター。
【請求項３】
前記第１の固定部は前記溶接部のエッジと揃っていることを特徴とする請求項２に記載の振動モーター。
【請求項４】
前記カウンターウェイトは、少なくとも１つの、振動方向に垂直する方向において貫通する収容孔を含み、前記磁性鋼は、該収容孔内に収容されることを特徴とする請求項１に記載の振動モーター。
【請求項５】
前記切欠部は、全部で２つがあり、それぞれ２つの第１の側面に位置し、且つ二つの切欠部の、同一の第１の側面における投影は、それぞれ前記収容孔の両側に位置することを特徴とする請求項４に記載の振動モーター。
【請求項６】
前記弾性部材は、全部で２つがあり、それぞれの弾性部材の第１の固定部は溶接部に固定され、前記第２の固定部は、前記溶接部から離れる一方の側のハウジングに固定され、前記接続部は、カウンターウェイトの第２の側面を取り囲むとともに、第２の側面と間隔を隔てて、設けられていることを特徴とする請求項５に記載の振動モーター。
【請求項７】
前記第１の側面と第２の側面との間は円弧面で接続されていることを特徴とする請求項６に記載の振動モーター。
【請求項８】
前記カウンターウェイトの、切欠部から離れる一方の側に、第１の側壁から離れる方向へ凹んで、弾性部材の第２の固定部を待避するための待避部が設けられていることを特徴とする請求項６に記載の振動モーター。
【請求項９】
前記第１の固定部とハウジングとの間に、前記第２の固定部とカウンターウェイトとの間に、それぞれクッションシートが設けられていることを特徴とする請求項８に記載の振動モーター。
【請求項１０】
前記弾性部材は、Ｕ型のスプリングであり、前記２つの弾性部材の開口方向は、対向設置されていることを特徴とする請求項９に記載の振動モーター。
【発明の詳細な説明】
【技術分野】
【０００１】
本発明は、振動モーターに関する。
【背景技術】
【０００２】
振動モーターは、電磁力発生原理を利用して電気エネルギーを機械的エネルギーに変換する部材であり、振動モーターは、振動フィードバック、例えば携帯電話の振動やゲーム機の振動フィードバックなどを発生させるように、通常に携帯型のモバイル装置内に設置されている。
【０００３】
関連する技術における振動モーターは、通常、固定部材及び振動部材を備えている。固定部材は、収容空間を有するハウジング及びハウジング内に設置されたコイルを含む。振動部材は、弾性部材により、ハウジングの収容空間内に設置されている。振動部材は、磁性鋼と、磁性鋼を収容するためのカウンターウェイトとを含む。コイルは、交流電気を通電した後、磁性鋼と相互に作用し、磁界力を発生する。コイルが動かないため、振動部材の全体は、磁界力による作用を受け、弾性部材に支持されている状態で、往復振動するようになる。関連する技術における振動モーターは、より強い振動フィードバックの効果を得るために、磁性鋼及びカウンターウェイトの重量を増やす必要がある。そのため、振動子の振動の負荷力が大きくなり、弾性部材の耐久性が低下し、振動モーターの安定性を低下させてしまう。
【０００４】
したがって、新しい構成を有する振動モーターを研究する必要がある。
【発明の概要】
【発明が解決しようとする課題】
【０００５】
振動モーターの弾性部材の耐久性が低く、製品の安定性が悪いという課題を解決するために、本発明は新型の振動モーターを提供する。
【課題を解決するための手段】
【０００６】
前記解決しようとする技術的課題を鑑み、下記振動モーターを設計した。当該振動モーターは、収容空間が設けられたハウジングと、当該収容空間内に収容され、カウンターウェイトを備える振動子と、ステータと、前記振動子を支持する弾性部材とを備え、前記ハウジングに前記ステータを固定するための底壁及び前記底壁に垂直する側壁が設けられ、前記側壁は前記振動子の振動方向に平行する第１の側壁を含み、前記振動子は、前記底壁に平行する方向において振動し、前記振動子とステータのうちの一方は、コイルを備え、他方は、磁性鋼を備え、前記コイルと磁性鋼とは正対して、間隔を隔て設けられ、前記弾性部材は、カウンターウェイトに接続された第１の固定部と、ハウジングに接続された第２の固定部と、第１の固定部と第２の固定部を接続する接続部とを含み、前記カウンターウェイトは、振動子の振動方向に平行する第１の側面と、振動子の振動方向に垂直する第２の側面とを含み、前記カウンターウェイトは、第１の側面から第１の側壁から離れる方向へ凹んで、切欠部が形成され、前記カウンターウェイトは、切欠部の中央から突起するとともに、切欠部のエッジまで延在する溶接部をさらに備え、前記第１の固定部は前記溶接部に貼り合わせられている。
【０００７】
好ましくは、前記第１の固定部は前記溶接部と、形状が同じである。  
【０００８】
好ましくは、前記第１の固定部は前記溶接部のエッジと揃っている。
【０００９】
好ましくは、前記カウンターウェイトは、少なくとも１つの、振動方向に垂直する方向において貫通する収容孔を含み、前記磁性鋼は、該収容孔内に収容されている。
【００１０】
好ましくは、前記切欠部は、全部で２つがあり、それぞれ２つの第１の側面に位置し、且つ二つの切欠部の、同一の第１の側面における投影は、それぞれ収容孔の両側に位置する。
【００１１】
好ましくは、前記弾性部材は、全部で２つがあり、それぞれの弾性部材の第１の固定部は溶接部に固定され、前記第２の固定部は、前記溶接部から離れる一方の側のハウジングに固定され、前記接続部は、カウンターウェイトの第２の側面を取り囲むとともに、第２の側面と間隔を隔てて、設けられている。
【００１２】
好ましくは、前記第１の側面と第２の側面との間は円弧面で接続されている。
【００１３】
好ましくは、前記カウンターウェイトの、切欠部から離れる一方の側に、第１の側壁から離れる方向へ凹んで、弾性部材の第２の固定部を待避するための待避部が設けられている。
【００１４】
好ましくは、前記第１の固定部とハウジングとの間に、前記第２の固定部とカウンターウェイトとの間に、それぞれクッションシートが設けられている。
【００１５】
好ましくは、前記弾性部材は、Ｕ型のスプリングであり、前記２つの弾性部材の開口方向は、対向設置されている。
【発明の効果】
【００１６】
本発明に係る振動モーターのカウンターウェイトに切欠部及び切欠部に位置する溶接部が設けられ、前記溶接部は、弾性部材の第１の固定部とマッチングする溶接部であり、これにより、振動子と弾性部材との固定をより強固にさせ、弾性部材の耐久性を向上させ、製品の安定性を向上させる。
【図面の簡単な説明】
【００１７】
【図１】本発明に係る振動モーターの分解斜視図である。
【図２】本発明に係る振動モーターの振動子の模式図である。
【図３】図２に示すＡの部分の拡大図である。
【図４】本発明に係る振動モーターのカウンターウェイトの模式図である。
【発明を実施するための形態】
【００１８】
以下、図１〜図４および実施形態を参照しながら本発明をさらに説明する。
【００１９】
図１〜図２に示すように、本発明に提供される振動モーター１００は、ハウジング１０、前記ハウジング１０内に収容された振動子、ステータ及び弾性部材６０を備える。前記ハウジング１０には、前記ステータを固定するための底壁１２と、底壁に垂直する側壁１１とが設けられ、前記底壁１２は、長尺状の構造である。前記振動子は、前記弾性部材６０により、前記ハウジング１０内にサスペンションされているとともに、前記底壁１２の長軸に平行する方向において振動する。前記振動子とステータのうちの一方は、コイル２０を含み、他方は、磁性鋼４０を含み、前記コイル２０と磁性鋼４０とは正対して、間隔を隔て、設けられている。本実施形態において、前記ステータはコイル２０であり、ハウジング１０の底壁１２に固定されている。
【００２０】
前記振動子は、少なくとも１つの収容孔３１が設けられたカウンターウェイト３０と、前記カウンターウェイト３０の収容孔３１内に配置された磁性鋼４０と、収容孔３１の一方の側を被覆するポールコア５０とを含む。前記収容孔３１は、振動子の振動方向に垂直する方向において前記カウンターウェイト３０を貫通し、且つカウンターウェイト３０の中央に位置する。本実施形態において、収容孔３１及び磁性鋼４０の数は、それぞれ２つであり、選択可能な他の実施形態において、１つ又は複数であってもよく、収容孔３１及び磁性鋼４０の形状もこれに限定されない。コイル２０とポールコア５０は、それぞれ磁性鋼４０の上下両側に位置する。コイル２０に対向する磁性鋼４０は、収容孔３１から露出している。ここで、ポールコア５０は、導磁作用を果たし、本実施形態において、導磁体の材質のものである。当然ながら、ポールコア５０の材質は、カウンターウェイト３０と、同じ材質であってもよい。ポールコア５０が収容孔３１の一方の側を被覆しており、これにより、効果的に磁性鋼４０の磁気漏れを防止し、磁束量の漏れを阻止し、磁気誘導の効率を向上させる。
【００２１】
他の実施形態において、コイル２０及び磁性鋼４０の位置は互いに入れ替えてもよく、コイル２０は振動子に設けられ、このとき、カウンターウェイト３０に収容孔を設けず、溝などの形でコイル２０を固定してもよく、磁性鋼４０はステータとして、ハウジング１０の底壁１２に固定することも同様に可能である。
【００２２】
前記ハウジングは、一体構造であってもよく、別体構造であってもよい。本実施形態において、前記ハウジング１０は別体構造であり、具体的に、ケーシング１０１、及び前記ケーシング１０１と組み合わせ、接続された蓋板１０２を含み、前記底壁１２は前記蓋板１０２に設置され、側壁１１は前記ケーシング１０１に設置されている。側壁１１は、振動子の振動方向に平行する第１の側壁１１１及び振動子の振動方向に垂直する第２の側壁１１２を含む。前記カウンターウェイト３０の全体は、ハウジング１０と相応する長尺状の構造であり、第１の側壁１１１に対向する第１の側面３０１及び第２の側壁１１２に対向する第２の側面３０２を備える。
【００２３】
図２〜図４に示すように、カウンターウェイト３０には、さらに第１の側面３０１から第１の側壁１１１から離れる方向へ凹んで形成された切欠部３２が設けられている。本実施形態において、前記切欠部３２は、全部で２つがあり、それぞれカウンターウェイト３０に近い長軸方向に位置し、且つ同一の第１の側面３０１における投影は、それぞれ収容孔３１の両側に位置し、即ち、２つの切欠部３２は、カウンターウェイト３０の二つの対角の方向に位置する。前記カウンターウェイト３０は、切欠部３２の中央から突起するとともに、切欠部３２の、第２の側面に近い一方の側のエッジまで延在する溶接部３３をさらに備え、前記溶接部３３は、切欠部３２から外へ突出して第１の側面に接続された凸台である。前記溶接部３３は、切欠部３２とセットで設置され、全部で２つの溶接部３３があり、それぞれ２つの第１の側面３０１に位置し、且つ二つの溶接部３３の、同一の第１の側面における投影はそれぞれ収容孔３１の両側に位置する。
【００２４】
前記弾性部材６０は、前記振動子に接続された第１の固定部６１と、前記ハウジング１０に接続された第２の固定部６２と、前記第１の固定部６１と第２の固定部６２を接続する接続部６３とを備える。本実施形態において、弾性部材６０は全部で２つがあり、いずれもＵ型のスプリングであり、二つのＵ型のスプリングの開口方向、即ち、接続部６３の折り曲げ方向は、対向設置されており、それぞれの弾性部材６０は、第１の固定部６１が溶接部３３上に固定され、前記第２の固定部６２が前記溶接部３３から離れる一方の側の第１の側壁１１１に固定され、前記接続部６３は、カウンターウェイト３０の第２の側面３０２を取り囲むとともに、第２の側面３０２と間隔を隔て設けられている。前記第１の側面３０１と第２の側面３０２との間は、円弧面で接続されており、第１の側面３０１と第２の側面３０２を接続する円角部３０３を有する。対応的に、前記接続部６３の両側にも円弧面が設けられている。円角部３０３を設置することにより、弾性部材６０とカウンターウェイトとの結合部位において衝突が発生することを防止し、製品の安定性を向上させることができる。
【００２５】
ここで、第１の固定部６１の形状は、溶接部３３の形状と同じである。図２及び図３に示すように、前記第１の固定部６１は溶接部３３に緊密に貼り合わせられ、前記第１の固定部６１は前記溶接部３３のエッジと揃っており、即ち、第１の固定部６１の、底壁１２に平行する上下両端は、それぞれ溶接部３３の、底壁に平行する上下の二つの平面と揃っている。前記第１の固定部６１と溶接部３３と溶接固定され、溶接点は、溶接部３３が第１の固定部６１のエッジと貼り合せられたスリットに位置し、図面におけるａ点は、第１の固定部と溶接部との溶接点の位置を示す。このような構造により、溶接強度を向上させ、これにより、製品の安定性能を向上させ、従来の弾性部材の脱落により安定性を影響することを防止することができる。
【００２６】
本実施形態において、カウンターウェイト３０の、切欠部から離れる一方の側に、さらに、第１の側壁１１１から離れる方向へ凹んだ待避部３４が設けられ、待避部３４は、弾性部材の第２の固定部６２を待避するためのものであり、振動子が振動する過程で第２の固定部６２がカウンターウェイト３０と衝突することにより、製品の安定性を影響することを防止する。第１の固定部６１とハウジングの第１の側壁１１１との間に、前記第２の固定部６２とカウンターウェイト３０との間に、それぞれクッションシート７０がさらに設けられており、衝突を防止し、製品の安定性を向上させるために、前記クッションシートとして、フォームを用いることができる。振動子が振動する振幅が大きすぎることを防止するように、前記振動モーター１００は、前記底壁１２上に設置されたストッパー８０をさらに備える。
【００２７】
本発明に係る振動モーターのカウンターウェイトに切欠部及び切欠部に位置する溶接部が設けられており、前記溶接部は、弾性部材の第１の固定部とマッチングする溶接部であり、これにより、振動子と弾性部材との固定をより強固にさせ、弾性部材の耐久性を向上させ、製品の安定性を向上させる。
【００２８】
上述したのは本発明の２つの実施形態に過ぎず、ここで明確にすべきなのは、当業者にとって、本発明の創造的構想を逸脱しない前提で、改善を行うことができるが、これらは全て本発明の保護範囲に含まれる。
【符号の説明】
【００２９】
１０  ハウジング
１１  側壁
１１１  第１の側壁
１１２  第２の側壁
１２  底壁
１００  振動モーター
２０  コイル
３０  カウンターウェイト
３０１  第１の側面
３０２  第２の側面
３２  切欠部
３３  溶接部
４０  磁性鋼
６０  弾性部材
６１  第１の固定部
６２  第２の固定部
６３  接続部
【図１】
2017118805.tif 000003
【図２】
2017118805.tif 000004
【図３】
2017118805.tif 000005
【図４】
2017118805.tif 000006